(57)【要約】【課題】取扱いが容易で簡単に車上に降り積る雪を除雪することができ、コンパクトに収納可能な自動車用除雪カバーを提供する。【解決手段】矩形の形状で、自動車の全長以上の長さ、両側のサイドバックミラーを覆うことが可能な長さを有し、長手方向の両辺１１にそれぞれ筒状部１３を有するカバー本体３と、伸縮自在で前記カバー本体３の両筒状部１３にそれぞれ抜出し可能に挿入された前記カバー本体３の飛散を防止する２本の棒状体５と、一端部２３が前記一の筒状部１３ａに縛束され少なくとも一のサイドバックミラーからルーフを越えて反対側のドアウインドウまでの長さを有する２本又は４本のロープ７と、前記ロープ７の他端２５に縛束された引き棒９を備え、雪が降る前に車体を覆うように被せ、カバー本体３を捲る取ることで車上に降り積った雪を簡単に除去することができる。【選択図】図１
0003146508.tif 000002
【実用新案登録請求の範囲】
【請求項１】
自動車の車体に被せ、車上に降り積る雪を除雪するための自動車用除雪カバーであって、
矩形の形状で、長手方向は少なくとも自動車の全長以上の長さ有し、短手方向はルーフを越えて両側のサイドバックミラーを覆うことが可能な長さを有し、長手方向の両辺にそれぞれ筒状部を有し、合成樹脂性のネットからなるカバー本体と、
伸縮自在でいっぱいに引伸ばしたとき自動車の全長と同一の長さを有し、前記カバー本体の両筒状部にそれぞれ抜出し可能に挿入された前記カバー本体の飛散を防止する２本の棒状体と、
一端部が前記一の筒状部に縛束され少なくとも一のサイドバックミラーからルーフを越えて反対側のドアウインドウまでの長さを有する２本又は４本のロープと、
前記ロープの他端に縛束され、ロープの一端が縛束された筒状部をルーフを越えて引っ張る引き棒と、
を含むことを特徴とする自動車用除雪カバー。
【請求項２】
さらに前記カバー本体の筒状部に挿入可能な大きさで、前記棒状体よりも直径が大きく中心部に棒状体が挿通可能な貫通孔を有する２つの円柱状体を有することを特徴とする請求項１に記載の自動車用除雪カバー。
【請求項３】
さらに前記引き棒の両端部に引き棒を覆う弾性体を有することを特徴とする請求項１又は２に記載の自動車用除雪カバー。
【請求項４】
さらに前記カバー本体を車体に固定するゴムバンド又は紐を有することを特徴とする請求項１から請求項３のいずれか１項に記載の自動車用除雪カバー。
【請求項５】
前記引き棒は、少なくとも一端が、前記カバー本体の筒状部に挿入された棒状体に係合可能な平面視においてＵ字形状を有することを特徴とする請求項１から請求項４のいずれか１項に記載の自動車用除雪カバー。
【考案の詳細な説明】
【技術分野】
【０００１】
本考案は、自動車の上に降り積る雪を除雪することが可能な自動車用除雪カバーに関する。
【背景技術】
【０００２】
自動車に降り積もった雪を取除くことが大変なことは、多くの人が経験しているところである。自動車に自動車用カバーを装着し、自動車用カバーを取外すことで自動車に降り積もった雪を取除くこともできる。しかしながら従来から一般的に使用されている自動車用カバーは、車体に埃、汚れなどが付くこと又は塗装保護を主目的とするものであるため、大きさも車体全体を覆うことができる大きさであり必ずしも取扱いに優れるとは言えない。
【０００３】
従来の一般的な自動車用カバーに代わり、除雪に適した自動車用カバーが提案されている。例えば、ルーフ及び各ウインドウを覆う被覆シートと被覆シートを係止する紐とを備える自動車用カバーが提案されている（例えば特許文献１参照）。またカバーを二重構造の袋状とし、使用する際には空気を供給し袋を膨らませて自動車全体を覆う自動車用カバーも提案されている（例えば特許文献２参照）。
【特許文献１】特開平８−２８２３０１号公報
【特許文献２】特開平１０−３０５７３３号公報
【考案の開示】
【考案が解決しようとする課題】
【０００４】
特許文献１に記載の自動車用カバーは、被覆シートのルーフ部中央に取手又は紐を設け、これを上下させることによりルーフ部に降り積った雪を取り除く。このような自動車用カバーでは、ルーフ部の積雪量が多い場合には取手又は紐が雪に埋もれてしまう。またルーフに雪が載っている状態で中央部の取手又は紐を上下させることは、作業位置、積雪重量を考えれば容易ではない。特許文献２に記載の自動車用カバーの場合、自動車を覆った自動車用カバーを取外すための手段が特に設けられていないため、ルーフ等に雪が積もった後に自動車用カバーを取外すことは容易ではない。
【０００５】
本考案の目的は、取扱いが容易で簡単に車上に降り積る雪を除雪することができ、コンパクトに収納可能な自動車用除雪カバーを提供することである。
【課題を解決するための手段】
【０００６】
請求項１に記載の本考案は、自動車の車体に被せ、車上に降り積る雪を除雪するための自動車用除雪カバーであって、矩形の形状で、長手方向は少なくとも自動車の全長以上の長さ有し、短手方向はルーフを越えて両側のサイドバックミラーを覆うことが可能な長さを有し、長手方向の両辺にそれぞれ筒状部を有し、合成樹脂性のネットからなるカバー本体と、伸縮自在でいっぱいに引伸ばしたとき自動車の全長と同一の長さを有し、前記カバー本体の両筒状部にそれぞれ抜出し可能に挿入された前記カバー本体の飛散を防止する２本の棒状体と、一端部が前記一の筒状部に縛束され少なくとも一のサイドバックミラーからルーフを越えて反対側のドアウインドウまでの長さを有する２本又は４本のロープと、前記ロープの他端に縛束され、ロープの一端が縛束された筒状部をルーフを越えて引っ張る引き棒と、を含むことを特徴とする自動車用除雪カバーである。
【０００７】
請求項２に記載の本考案は、請求項１に記載の自動車用除雪カバーにおいて、さらに前記カバー本体の筒状部に挿入可能な大きさで、前記棒状体よりも直径が大きく中心部に棒状体が挿通可能な貫通孔を有する２つの円柱状体を有することを特徴とする。
【０００８】
請求項３に記載の本考案は、請求項１又は２に記載の自動車用除雪カバーにおいて、さらに前記引き棒の両端部に引き棒を覆う弾性体を有することを特徴とする。
【０００９】
請求項４に記載の本考案は、請求項１から請求項３のいずれか１項に記載の自動車用除雪カバーにおいて、さらに前記カバー本体を車体に固定するゴムバンド又は紐を有することを特徴とする。
【００１０】
請求項５に記載の本考案は、請求項１から請求項４のいずれか１項に記載の自動車用除雪カバーにおいて、前記引き棒は、少なくとも一端が、前記カバー本体の筒状部に挿入された棒状体に係合可能な平面視においてＵ字形状を有することを特徴とする。
【考案の効果】
【００１１】
請求項１に記載の本考案によれば、矩形の形状で、長手方向は少なくとも自動車の全長以上の長さ有し、短手方向はルーフを越えて両側のサイドバックミラーを覆うことが可能な長さを有し、長手方向の両辺にそれぞれ筒状部を有し、合成樹脂性のネットからなるカバー本体と、伸縮自在でいっぱいに引伸ばしたとき自動車の全長と同一の長さを有し、前記カバー本体の両筒状部にそれぞれ抜出し可能に挿入された前記カバー本体の飛散を防止する２本の棒状体と、一端部が前記一の筒状部に縛束され少なくとも一のサイドバックミラーからルーフを越えて反対側のドアウインドウまでの長さを有する２本又は４本のロープと、前記ロープの他端に縛束され、ロープの一端が縛束された筒状部をルーフを越えて引っ張る引き棒と、を含むので、この自動車用除雪カバーを雪が降る前に車体を覆うように被せ、一の棒状体をサイドバックミラーに引っ掛け、他方の棒状体を他方のサイドバックミラーに引っ掛けるか、又はサイドバックミラーの下方に位置するように垂らしておくことで風によって飛ばされることがなく、さらには車上に雪が降り積っても、捲り上げられる側の棒状体をサイドバックミラーの上側に移動させ、引き棒を引っ張れば棒状体を含むカバー本体が降り積った雪を包みこむようにルーフを越え捲り取られるので簡単に除雪することができる。さらに本考案に係る自動車用除雪カバーは、カバー本体、２本の棒状体、２本又は４本のロープ及び引き棒とに分離可能で、２本の棒状体はさらに伸縮可能なので、使用しないときはコンパクトに収納することが可能であり便利である。
【００１２】
請求項２に記載の本考案によれば、さらに前記カバー本体の筒状部に挿入可能な大きさで、前記棒状体よりも直径が大きく中心部に棒状体が挿通可能な貫通孔を有する２つの円柱状体を有するので、この円柱体を取付けた棒状体をカバー本体の筒状部に挿入しておくことで、棒状体を含むカバー本体をルーフを越えるように捲り取るとき、棒状体が雪の中に埋没することがなく、降り積った大量の雪も簡単に除雪することができる。
【００１３】
請求項３に記載の本考案によれば、さらに前記引き棒の両端部に引き棒を覆う弾性体を有するので、車高の高い自動車であってもルーフを越えて引き棒を反対側のドアウインドウ側に投げ渡すことができ、簡単に自動車用除雪カバーをセットすることができる。
【００１４】
請求項４に記載の本考案によれば、さらに前記カバー本体を車体に固定するゴムバンド又は紐を有するので、軽自動車など車長が比較的短くかつ車高が高い自動車であっても、カバー本体を飛散させることなく確実に車体に被せておくことができる。
【００１５】
請求項５に記載の本考案によれば、引き棒の少なくとも一端は、前記カバー本体の筒状部に挿入された棒状体に係合可能な平面視においてＵ字形状を有するので、引き棒の一端を筒状部に挿入された棒状体にあてがい押せば、車高の高い自動車であっても棒状体を含む筒状部を、ルーフを越えて反対側のドアウインドウ側に簡単に移動させることができ、簡単に自動車用除雪カバーをセットすることができる。
【考案を実施するための最良の形態】
【００１６】
図１は本考案の実施の一形態としての自動車用の除雪カバー１の平面図である。図２は、自動車用の除雪カバー１を構成する棒状体５ａに２つの円柱状体１９を装着した状態を示す図である。図３は、除雪カバー１を自動車にセットした状態を模式的に示す正面図であり、図４は、除雪カバー１を自動車にセットした状態を示す斜視図である。また図５は降り積った雪４０を取除くために除雪カバー１を捲り取っている状態を示す図である。
【００１７】
除雪カバー１は、自動車の車体５０上に降り積る雪４０を除雪するための自動車用除雪カバーであって、雪が降る前に車体５０に被せて、雪が降った後にこの除雪カバー１を捲るように取外すことで車体５０上の雪４０を除去する。自動車用の除雪カバー１は、車体５０を覆うネット状のカバー本体３と、カバー本体３の両辺の筒状部１３（１３ａ、１３ｂ）に挿入された棒状体５（５ａ、５ｂ）と、一端部が一の筒状部１３ａに縛束された２本のロープ７（７ａ、７ｂ）と、該ロープ７の他端に縛束され、ロープ７の一端が縛束された筒状部１３ａをルーフ５２を越えて引っ張る引き棒９とを含み構成される。
【００１８】
カバー本体３は、矩形の形状を有し、長手方向は少なくとも自動車の全長Ｌ以上の長さ有し、短手方向はルーフ５２を越えて両側のサイドバックミラー５４（５４ａ、５４ｂ）を覆うことが可能な長さを有する。具体的には図３及び図４に示すように、除雪カバー１を車体５０に被せると、ボンネット５６、ルーフ５２、トランク５８及びフロント部６０、テール部６２も覆うことができる大きさである。具体的な大きさの一例を示せば、普通自動車用で６ｍ×２．５ｍの大きさ、軽自動車用で４．１×２．３ｍである。カバー本体３は、合成樹脂性のネットからなる。カバー本体３の網目の大きさは、１〜３ｍｍ程度のものが好ましく、合成繊維を編んでネットとしたものであっても、不織布でネットとしたもであってもよい。材質は特に限定されないけれども、低温に強く、引っ張っても容易に損傷、破断しない強度が必要であり、釣り糸などに使用されるナイロン、ポリエチレンなどを好適に使用することが可能であり、市販の合成樹脂性のネットを使用することができる。カバー本体３の厚さは、強度、重量、取り扱い性を考慮し適宜決定すればよい。厚さを例示すれば０．５〜２ｍｍ程度である。
【００１９】
カバー本体３の長手方向の両辺部１１（１１ａ、１１ｂ）には、棒状体５を挿入可能な筒状部１３（１３ａ、１３ｂ）が設けられている。この筒状部１３は、カバー本体３の一部を折返し、折返した部材の端辺１５（１５ａ、１５ｂ）をカバー本体３と縫い合わせ形成されている。ロープ７が縛束される側の筒状部１３ａは反対側の筒状部１３ｂに比較して大きい。筒状部１３ａは、図２に示す円柱状体１９（１９ａ、１９ｂ）が装着された棒状体５ａが挿入されるケースを考慮し、円柱状体１９が装着された棒状体５ａを挿入することが可能な大きさとしてある。一方、筒状部１３ｂは、棒状体５ｂに円柱状体１９が装着されるケースがないため、棒状体５ｂを挿入可能な大きさとなっている。
【００２０】
上記カバー本体３は、シート状のネットからなるので、濡れた車体５０に被せたとき寒さで車体５０に凍りついても車体５０から比較的簡単に剥がすことができる。またカバー本体３はシート状のネットからなり、後述の使用方法で示すように筒状部１３に棒状体５が挿入され、一の棒状体５ａをサイドバックミラー５４ａに引っ掛け、他方の棒状体５ｂを他方のサイドバックミラー５４ｂに引っ掛けるか、又はサイドバックミラー５４ｂの下方に位置するように垂らしておくので、車体５０に被せても強風で飛ばされることはない。またカバー本体３は、薄くて軽く折りたたみも可能性であり取り扱いやすい。またコンパクトに収納できる。さらに損傷しにくく、長年の使用が可能である。
【００２１】
棒状体５（５ａ、５ｂ）は、カバー本体３を車体５０に被せたときカバー本体３が風に煽られ飛散することを防止する重しの役目と、車体５０上に降り積った雪４０を取除くために車体５０に被せたカバー本体３を捲り取るとき、カバー本体３の長辺が一体的に捲り取られるようにするガイドとしての役目を有し、カバー本体３の両筒状部１３ａ、１３ｂにそれぞれ抜出し可能に挿入されている。棒状体５は図２に示すように直径の異なるパイプ１７ａ、１７ｂ、１７ｃ、１８ａ、１８ｂで構成され、伸縮可能な構造であり、いっぱい引き伸ばしたとき自動車の全長Ｌと同一の長さである。
【００２２】
棒状体５は上記役目を有することから、カバー本体３が風に煽られ飛散することを防止できる重量と、カバー本体３を捲るときカバー本体３が均一に捲られる強度が必要である。一方で、重量が重いと取り扱いが不便となるので、必要以上に重量を重くすべきではない。また車体５０に傷を付けないことが必要なことから、合成樹脂性のパイプを好適に使用することができる。このような棒状体としては、呼び径が１５〜４０ｍｍの塩化ビニル製パイプが例示される。
【００２３】
車体５０上に降り積った雪４０が多い場合には、棒状体５の直径が小さいと、カバー本体３を捲るように棒状体５ａを挿入した筒状部１３ａを引き棒９で引っ張るとき、棒状体５ａが雪４０の中に入り込み、雪４０を完全に取り除くことがでない。積雪量の多い場合には、図２に示すように棒状体５ａに棒状体５ａよりも直径の大きい円柱状体１９（１９ａ、１９ｂ）を装着する。円柱状体１９は、中心部に棒状体５ａに挿入可能な貫通孔２１（２１ａ、２１ｂ）を有し、棒状体５ａに抜き出し可能に挿入されている。円柱状体１９は、ロープ７がくくりつけられる側の棒状体５ａにのみ、間隔を開けて２つ装着する。このような円柱状体１９を装着した棒状体５ａをカバー本体３の筒状部１３ａに挿入すると、カバー本体３を捲るように棒状体５ａを挿入した筒状部１３ａを引き棒９で引っ張るとき、積雪量が多くてもルーフ５２表面と棒状体５ａの中心部との距離が大きくなるため、棒状体５ａが雪４０の中に入り込むことなく、雪４０を包み込むようにきれいにカバー本体３を捲り取ることができる。
【００２４】
ロープ７は、挿入された棒状体５ａを含めカバー本体３の筒状部１３ａを捲るように引っ張るための部材である。筒状部１３ａのカバー本体３には２本のロープを通すための貫通孔が、端部２２ａ、２２ｂから同じ距離を有する位置に間隔をおいて設けられており（図示省略）、各ロープ７ａ、７ｂの一端２３ａ、２３ｂは、この貫通孔を利用して筒状部１３ａに挿入された棒状体５ａと該筒状部１３ａとを固定するように筒状部１３ａにくくりつけられている。筒状部１３ａにくくりつけられる２つのロープ７の間隔は、棒状体５ａを含む筒状部１３を引っ張ったとき、棒状体５ａを含む筒状部１３が平行に移動するようにある程度の間隔を持たせることが望ましい。２本のロープ７の他端２５ａ、２５ｂは、それぞれ間隔をおいて引き棒９にくくりつけられている。ここで使用可能なロープ７は、雪４０が降り積ったカバー本体３を捲るよう引っ張ることが可能なロープであればよく、市販のロープを使用することができる。なお、積雪量が多い場合には、２本のロープ７のみでは、筒状部１３ａに挿入された棒状体５ａが変形し、棒状体５ａを含む筒状部１３ａを平行に移動させることが困難な場合がある。このため積雪量が多い場合を考慮し、ロープの本数を４本とし、他の２本のロープを図１に示すロープ７の位置から見て両端部２２ａ、２２ｂ側に取り付けてもよい。
【００２５】
引き棒９は、雪４０を包み込みながらカバー本体３を捲るように取外すための部材であって、２本のロープ７の一端２５がくくりつけられている。ロープの本数を４本とした場合には、４本のロープそれぞれの一端がくくりつけられる。引き棒９は、ロープ７を介して雪４０が降り積ったカバー本体３を捲るよう引っ張ったとき変形しない強度を有すればよく、中実体であっても中空体であってもよい。重量などを含め取り扱いの容易性を考えればパイプを好適に使用することができる。引き棒９は、人間７０が両手で引くので１〜１．５メートル程度の長さで、握り易い太さのものが好ましい。
【００２６】
また引き棒９の両端部２７ａ、２７ｂは、平面視において、Ｕ字形状を有する。このＵ字形状を有する端部２７ａ、２７ｂは、筒状部１３ａに挿入された棒状体５ａにあてがい、筒状部１３ａに挿入された棒状体５ａを移動させるために利用される。また引き棒９の両端部２７ａ、２７ｂには、引き棒９を覆うようにスポンジ２９ａ、２９ｂが取り付けられている。このスポンジ２９ａ、２９ｂは、引き棒９をルーフ５２を越すように反対側ドアウインドウ側に投げたとき、車体５０又はウインドウに傷が付かないようにするための部材であり、スポンジ以外の他の柔らかい弾性体であってもよい。引き棒９の端部に設けるＵ字形状は、一の端部２７ａ（２７ｂ）のみであってもよい。また、車高の低い車に適用する場合には、ルーフ５２を越えて棒状体５ａが挿入された筒状部１３ａを移動させることが容易であるため、必ずしも引き棒９の両端部２７ａ、２７ｂ又は一端を、平面視においてＵ字形状とする必要はなく、また引き棒９の移動も容易なため、引き棒９を覆うように両端部２７ａ、２７ｂに取り付けるスポンジ２９ａ、２９ｂも無くてもよい。
【００２７】
上記、自動車用の除雪カバー１の使用方法を説明する。棒状体５ａ、５ｂの長さを車体の全長に合わせた状態でカバー本体３の筒状部１３に挿入し、ロープ７及び引き棒９を括りつける。ロープ７は、除雪カバー１を車体５０に被せ、後述の所定位置にセットしたとき、引き棒９がドアウインドウ６４ｂ部に位置するように長さを調整して括りつける。この除雪カバー１を、カバー本体３が車体５０のボンネット５６、ルーフ５２、トランク５８、フロント部６０、テール部６２及び両ドアウインドウ６４ａ、６４ｂを覆うように被せる。このとき筒状部１３ａに挿入した棒状体５ａがサイドドアミラー５４ａに引っ掛るようにセットし、反対側の棒状体５ｂは、カバー本体３が張るように垂らしておく。また引き棒９は、ルーフ５２を超えて棒状体５ｂ側に垂らしておく。車高が高く棒状体５ｂをルーフ５２を越えて反対側に移動させることが難しい場合には、ルーフ５２上の棒状体５ｂを引き棒９の端部２７ａ、２７ｂで反対側に押して移動させればよい。また、引き棒９をルーフ５２を越えて移動させることが難しい場合には、ルーフ５２を超えるように投げて移動させる。このとき引き棒９の両端部２７ａ、２７ｂにはスポンジ２９ａ、２９ｂが取り付けられているので車体５０に傷が付くことはない。また引き棒９に別途ロープを取り付け、このロープのみをルーフ５２を超えるように投げて移動させ、このロープで引き棒９を引寄せて、引き棒９をルーフ５２を越えて移動させてもよい。
【００２８】
車体５０の覆うように除雪カバー１をセットした状態は、図３及び図４に示す状態であり、棒状体５ａ、５ｂの長さを車体の全長Ｌに合わせることで、両短辺近傍のカバー本体３が車体のフロント部６０及びテール部６２を覆うように垂れ下がるので、この部分に積る雪も簡単に除去することができる。
【００２９】
除雪カバー１をセットした車体５０上に降り積った雪４０を除去するときは、捲り上げられる側の棒状体５ａをサイドバックミラー５４ａの上側に移動させ、図５に示すように引き棒９を手前に引けば、ロープ７が括りつけられた棒状体５ａを含むカバー本体３が雪４０を包み込みながら捲られるので、簡単に雪４０を除去することができる。除雪カバー１をセットするとき、引き棒９が車体５０のドアウインドウ部６４ｂに位置するように長さを調整しているので、大量の雪が降っても引き棒９が雪４０の中に完全に埋没することはない。なおカバー本体３を捲り取る場合に、引き棒９を回転させロープ７を引き棒９に巻き付ければ、人間７０が移動することなくその場でカバー本体３を捲り取ることができる。
【００３０】
軽自動車の場合には、車長が比較的短くかつ車高が高いので、上記のように除雪カバー１を車体５０にセットしただけでは、強風に煽られてカバー本体３が剥がれる恐れがある。このための軽自動車用の除雪カバーは、上記構成以外に除雪カバー１を車体５０に固定するゴムバンド又は紐を有する。このゴムバンド又は紐を利用することでカバー本体３が車体５０から剥がれないように簡単に固定することができる。
【００３１】
上記実施形態を用いて説明したように本考案に係る自動車用除雪カバーは、簡単に車上に降り積る雪を除去することができる。また、棒状体を伸縮性としたことで、全長Ｌの異なる自動車にも容易に使用することができる。さらに本考案に係る自動車用除雪カバーは、カバー本体、２本の棒状体、２本又は４本のロープ及び引き棒に分離可能であるので、各部材を分離した自動車用除雪カバーセットとして販売することもできる。本考案に係る自動車用除雪カバーは、構成部材の点数も少なく分離した各部材の組み立ても非常に簡単であり、使い勝手がよく、使用しないときはコンパクトに収納することが可能であり便利である。
【図面の簡単な説明】
【００３２】
【図１】本考案の実施の一形態としての自動車用の除雪カバー１の平面図である。
【図２】図１の自動車用の除雪カバー１を構成する棒状体５ａに２つの円柱状体１９を装着した状態を示す図である。
【図３】図１の除雪カバー１を自動車にセットした状態を模式的に示す正面図である。
【図４】図１の除雪カバー１を自動車にセットした状態を示す斜視図である。
【図５】降り積った雪４０を取除くために図１の除雪カバー１を捲り取っている状態を示す図である。
【符号の説明】
【００３３】
１  除雪カバー
３  カバー本体
５  棒状体
７  ロープ
９  引き棒
１１  カバー本体の長手方向の両辺部
１３  筒状部
１９  円柱状体
２３  ロープの一端
２５  ロープの他端
２７  引き棒の端部
２９  スポンジ
４０  雪
５０  車体
５２  ルーフ
５４  サイドバックミラー
６４  ドアウインドウ
【図１】
0003146508.tif 000003
【図２】
0003146508.tif 000004
【図３】
0003146508.tif 000005
【図４】
0003146508.tif 000006
【図５】
0003146508.tif 000007